(57)【特許請求の範囲】
【請求項１】
取付体と、該取付体が組付けられる相手側取付体と、該取付体と該相手側取付体とを固定するクリップとを備え、該取付体の外形に対応して、該クリップを形成するものとして、基板と、該基板の一方に延びる一側板と、該基板の他方に延びる他側板とが設けられ、該一側板に係止部が設けられ、該係止部に対応して該相手側取付体に係合部が設けられ、該相手側取付体に、該取付体と、該クリップとが組付けられることで、該取付体が該相手側取付体に固定されるとともに、前記相手側取付体に対し、前記クリップの位置ずれを防止するリブが、該クリップの前記一側板に設けられたことを特徴とするクリップの取付構造。
【請求項２】
前記取付体に代えて、該取付体の外形寸法と異なる外形寸法をした他の取付体が用いられた際に、該取付体の外形寸法と、該他の取付体の外形寸法との差を吸収する寸法差吸収部が、前記クリップに設けられたことを特徴とする請求項１記載のクリップの取付構造。
【請求項３】
前記寸法差吸収部は、該寸法差吸収部が前記取付体の一壁に押圧された際に復元弾性力を発生するばね部として形成されたことを特徴とする請求項２記載のクリップの取付構造。
【請求項４】
前記相手側取付体にガイドリブが設けられ、該ガイドリブに対応して、他の相手側取付体に他のガイドリブが設けられ、該ガイドリブと、該他のガイドリブとが嵌め合されることで、前記相手側取付体に該他の相手側取付体が組付けられることを特徴とする請求項１〜３の何れか１項に記載のクリップの取付構造。
【請求項５】
前記他の相手側取付体に一対の前記他のガイドリブが設けられ、一対の該他のガイドリブは、前記クリップの前記基板から延設された前記他側板を導き入れる案内部を兼ねたことを特徴とする請求項４記載のクリップの取付構造。
【請求項６】
前記クリップの前記基板から延設された前記他側板に、他の係止部が設けられ、該他の係止部に対応して、該クリップが組付けられる他の相手側取付体に、他の係合部が設けられたことを特徴とする請求項１〜５の何れか１項に記載のクリップの取付構造。
【請求項７】
前記クリップは、金属材または樹脂材が用いられて形成されたことを特徴とする請求項１〜６の何れか１項に記載のクリップの取付構造。
【請求項８】
前記取付体としてリレーが用いられ、前記相手側取付体として電気接続箱のカバーに形成されたハウジングが適用されたことを特徴とする請求項１〜７の何れか１項に記載のクリップの取付構造。
【請求項９】
前記他の相手側取付体として他の電気接続箱が用いられたことを特徴とする請求項４〜６の何れか１項に記載のクリップの取付構造。
【発明の詳細な説明】
【０００１】
【発明の属する技術分野】
本発明は、例えば、電気接続箱のアッパカバーに設けられたハウジングに、クリップが用いられてリレーが組付けられる構造に関し、振動対策が為され組付け性に優れたクリップの取付構造に関するものである。
【０００２】
【従来の技術】
図６は、従来の取付構造における一形態として、バッテリバンドの取付構造が示されたものである（特開平５−２０５７１４号公報）。
バッテリバンド１０１は、バッテリ１０３を押えつけ、このバッテリ１０３をバッテリホルダ１０４に固定させるゴムバンド１０１Ｅを備えるものである。このゴムバンド１０１Ｅは、バッテリ１０３に対応する面１０１Ａと、前記バッテリ１０３に対する反対側の面１０１Ｂとを備えるものである。前記ゴムバンド１０１Ｅにおける前記反対側の面１０１Ｂの所定箇所に、スペアヒューズ１０５を保持するスペアヒューズ保持手段１０２が、ゴムバンド１０１Ｅと一体となって形成されている。
【０００３】
このスペアヒューズ保持手段１０２は、前記ゴムバンド１０１Ｅから突出された突出部１０２Ａと、この突出部１０２Ａと前記ゴムバンド１０１Ｅとの間に形成され且つ前記スペアヒューズ１０５を挿入した状態で係合可能な穴部１０２Ｂと、この穴部１０２Ｂの近傍に形成され前記スペアヒューズ１０５の脱落を防止する脱落防止機構としての役割を果す突起部１０６とを備えるものである。
【０００４】
前記バッテリ１０３は、箱状のバッテリホルダ１０４内に収納されている。このバッテリ１０３の側面部１０３Ａからバッテリホルダ１０４の両方の側面部１０４Ａ，１０４Ａにかけて、ゴムバンド１０１Ｅを備えるバッテリバンド１０１が、所定の張力をもってバッテリホルダ１０４に装着されている。このように、バッテリバンド１０１は、バッテリ１０３がバッテリホルダ１０４から脱落することを防止するために備えられたものである。
【０００５】
バッテリバンド１０１の両方の端部１０１Ｃには、金具１０１Ｄが備えられており、この金具１０１Ｄを介して、バッテリバンド１０１は、バッテリホルダ１０４の係止部１０４Ｂに係合されている。図６においては、バッテリバンド１０１の一端側のみが図示されているが、バッテリバンド１０１の他端側の構造も、図６に示されるバッテリバンド１０１の一端側の構造と同様なものとされている。また、前記以外の他の従来の取付構造として、例えば、リレー（図示せず）の取付構造が挙げられる。
【０００６】
【発明が解決しようとする課題】
しかしながら、図６に示される上記従来のバッテリバンドの取付構造にあっては、ゴムバンド１０１Ｅを備えるバッテリバンド１０１が用いられて、バッテリホルダ１０４にバッテリ１０３が固定されているため、自動車のエンジンから発生される振動や、自動車の走行時に発生される振動などにより、このような固定構造のものに長期に亘って振動が加えられると、バッテリバンド１０１に備えられたゴムバンド１０１Ｅに伸びが生じることとなっていた。
【０００７】
ゴムバンド１０１Ｅに伸びが生じると、ゴムバンド１０１Ｅを備えるバッテリバンド１０１が、バッテリホルダ１０４に対して緩んでしまい、バッテリホルダ１０４の側面部１０４Ａに設けられた係止部１０４Ｂから、バッテリバンド１０１を構成するゴムバンド１０１Ｅの端部１０１Ｃに設けられた金具１０１Ｄが外されて、バッテリホルダ１０４内に収容されたバッテリ１０３がバッテリホルダ１０４に対してガタつくことや、バッテリホルダ１０４内からバッテリ１０３が抜け落されてしまうということが懸念されていた。
【０００８】
また、図６に示される上記従来のバッテリバンドの取付構造のものであると、バッテリホルダ１０４内にバッテリ１０３が収容された後に、バッテリ１０３をバッテリホルダ１０４に確実に固定させるために、バッテリホルダ１０４にバッテリバンド１０１が取付けられるといった作業が必要とされる。
【０００９】
そのような取付作業が行われる際に、バッテリバンド１０１を構成するゴムバンド１０１Ｅが伸ばされつつ、ゴムバンド１０１Ｅの端部１０１Ｃに設けられた金具１０１Ｄが、バッテリホルダ１０４の側面部１０４Ａに設けられた係止部１０４Ｂに引掛けられて、バッテリホルダ１０４にバッテリバンド１０１が取付けられるといった作業が行われなければならず、このような取付作業は行われ難いものとされ、このような取付作業に対する作業性の改善が望まれていた。
【００１０】
また、従来のリレーの取付構造を備える電気接続箱（図示せず）にあっては、リレーのメーカすなわちリレー製造業者によってリレーの外形形状が異なるものとされていたため、例えば、所定のリレーが嵌合される正規のハウジングに、他の形状をした他社製のリレーが固定されようとした場合、ロック構造などが異なることにより、正規のリレー嵌合用ハウジングに他形状のリレーを組付けて、これらを確実に固定させることは不可能なこととされていた。
【００１１】
正規のリレー嵌合用ハウジングに設けられたロック構造は、所定の形状をした正規のリレーに対応したものであるから、正規のリレー嵌合用ハウジングに設けられたロック構造によって、他形状をした他社製のリレーが正規のリレー嵌合用ハウジングに確実に固定されようとしても、ロックの固定位置が異なり、このことから、他形状をした他社製のリレーが、正規のリレー嵌合用ハウジングに確実に固定されるということはなかった。
【００１２】
仮に、正規のリレー嵌合用ハウジングに、他形状のリレーが取付けられることが可能であっても、一般にリレーにロック構造は備えられていないものが多いこと等から、他形状をした他社製のリレーと、正規のリレー嵌合用ハウジングとは、確実に固定されていない状態で組付けられることとなる。
【００１３】
従って、このようなリレーの組付状態における電気接続箱が自動車などの車両に搭載されると、自動車のエンジンから発生される振動や、車両の走行時に発生される振動などにより、正規のリレー嵌合用ハウジングに組付けられた他社製のリレーが、正規のリレー嵌合用ハウジングに対して緩んでしまうことや、組付け方向などにより、正規のリレー嵌合用ハウジングから他社製のリレーが抜け落ちてしまうといったことが懸念されていた。
【００１４】
本発明は、上記した点に鑑み、リレーなどの取付体にロック構造が備えられていないものであっても、振動などにより、ハウジングなどの相手側取付体に対してリレーなどの取付体が緩むということや、ハウジングなどの相手側取付体からリレーなどの取付体が抜け落ちるということのない組付け性に優れるクリップの取付構造を提供することを目的とする。
【００１５】
【課題を解決するための手段】
上記目的を達成するために、本発明の請求項１に係るクリップの取付構造は、取付体と、該取付体が組付けられる相手側取付体と、該取付体と該相手側取付体とを固定するクリップとを備え、該取付体の外形に対応して、該クリップを形成するものとして、基板と、該基板の一方に延びる一側板と、該基板の他方に延びる他側板とが設けられ、該一側板に係止部が設けられ、該係止部に対応して該相手側取付体に係合部が設けられ、該相手側取付体に、該取付体と、該クリップとが組付けられることで、該取付体が該相手側取付体に固定されるとともに、前記相手側取付体に対し、前記クリップの位置ずれを防止するリブが、該クリップの前記一側板に設けられたことを特徴とする。
上記構成により、規格化されていない各種形状をした取付体が用いられる場合であっても、大幅な設計変更が行われる必要性はなく、クリップによって、取付体は相手側取付体に確実に固定されることとなる。従って、汎用性が向上されたクリップの取付構造が提供可能とされる。また、クリップの一側板に係止部が設けられ、この係止部に対応して相手側取付体に係合部が設けられてあるから、取付体が相手側取付体に組付けられた後に、取付体にクリップを被せて、クリップの係止部と、相手側取付体の係合部とが合せられることにより、取付体は相手側取付体に容易で確実に固定されることとなる。従って、取付作業性が向上されたクリップの取付構造が提供されることとなる。
【００１６】
また、本発明の請求項１に係るクリップの取付構造は、上記構成により、クリップの係止部と、相手側取付体の係合部とが嵌め合される際や、クリップの係止部と、相手側取付体の係合部とが嵌め合された後に、相手側取付体に対してクリップに位置ずれが生じてしまうということなく、クリップは、相手側取付体に確実に組付けられることとなる。従って、相手側取付体に対するクリップの取付作業の容易化、迅速化が図られることとなる。
【００１７】
請求項２に係るクリップの取付構造は、請求項１に係るクリップの取付構造において、前記取付体に代えて、該取付体の外形寸法と異なる外形寸法をした他の取付体が用いられた際に、該取付体の外形寸法と、該他の取付体の外形寸法との差を吸収する寸法差吸収部が、前記クリップに設けられたことを特徴とする。
上記構成により、取付体の外形寸法と異なる外形寸法をした他の取付体が、クリップの取付構造に用いられた場合であっても、クリップに設けられた寸法差吸収部により、他の取付体は、確実に相手側取付体に組付けられた状態に維持されることとなる。従って、相手側取付体に対し他の取付体がガタついてしまうといった不具合の発生は未然に回避され、他の取付体は、確実に相手側取付体に固定され続けることとなる。
【００１８】
請求項３に係るクリップの取付構造は、請求項２に係るクリップの取付構造において、前記寸法差吸収部は、該寸法差吸収部が前記取付体の一壁に押圧された際に復元弾性力を発生するばね部として形成されたことを特徴とする。
上記構成により、取付体の外形寸法と異なる外形寸法をした他の取付体が、クリップの取付構造に用いられた場合であっても、クリップに設けられたばね部により、他の取付体は、より安定した状態で相手側取付体に組付けられることとなる。従って、クリップの取付構造に振動が加えられた場合、振動により、相手側取付体に対し他の取付体がガタついてしまうといった不具合の発生は未然に回避され、他の取付体は、ガタつくことなく、長期に亘って確実に相手側取付体に固定され続けることとなる。
【００１９】
請求項４に係るクリップの取付構造は、請求項１〜３の何れか１項に係るクリップの取付構造において、前記相手側取付体にガイドリブが設けられ、該ガイドリブに対応して、他の相手側取付体に他のガイドリブが設けられ、該ガイドリブと、該他のガイドリブとが嵌め合されることで、前記相手側取付体に該他の相手側取付体が組付けられることを特徴とする。
上記構成により、相手側取付体に他の相手側取付体が組付けられる際に、相手側取付体に設けられたガイドリブと、他の相手側取付体に設けられた他のガイドリブとが嵌め合されるといった作業が行われると、相手側取付体と、他の相手側取付体との組付作業が、容易で確実に行われることとなる。従って、組付作業性に優れたクリップの取付構造が提供されることとなる。
【００２０】
請求項５に係るクリップの取付構造は、請求項４に係るクリップの取付構造において、前記他の相手側取付体に一対の前記他のガイドリブが設けられ、一対の該他のガイドリブは、前記クリップの前記基板から延設された前記他側板を導き入れる案内部を兼ねたことを特徴とする。
上記構成により、他の相手側取付体にクリップが組付けられる際に、他の相手側取付体に設けられた案内部に、クリップの基板から延設された他側板が入れられるといった簡単な作業によって、他の相手側取付体にクリップを組付けることが可能となる。従って、取付作業性に優れたクリップの取付構造が提供されることとなる。
【００２１】
請求項６に係るクリップの取付構造は、請求項１〜５の何れか１項に係るクリップの取付構造において、前記クリップの前記基板から延設された前記他側板に、他の係止部が設けられ、該他の係止部に対応して、該クリップが組付けられる他の相手側取付体に、他の係合部が設けられたことを特徴とする。
上記構成により、クリップは、相手側取付体と、他の相手側取付体との両方に係止されることとなる。これにより、クリップは、より安定した組付状態として維持されることとなる。従って、振動に対する対策がより改善されたクリップの取付構造が提供されることとなる。
【００２２】
請求項７に係るクリップの取付構造は、請求項１〜６の何れか１項に係るクリップの取付構造において、前記クリップは、金属材または樹脂材が用いられて形成されたことを特徴とする。
上記構成により、クリップは、適度な剛性を備えるものとして形成されることとなる。このような材質で形成されたクリップが用いられることにより、取付体と、相手側取付体とは、長期に亘って確実に固定され続けることとなる。また、このような材質で形成されたクリップは、効率よく大量に生産可能とされるものであるから、汎用性に優れたクリップの取付構造が提供されることとなる。
【００２３】
請求項８に係るクリップの取付構造は、請求項１〜７の何れか１項に係るクリップの取付構造において、前記取付体としてリレーが用いられ、前記相手側取付体として電気接続箱のカバーに形成されたハウジングが適用されたことを特徴とする。
上記構成により、電気接続箱のカバーに形成されたハウジングにリレーが組付けられて、振動が加えられたとしても、電気接続箱のカバーに形成されたハウジングに対し、これに組付けられたリレーが緩むということや、電気接続箱のカバーに形成されたハウジングから、リレーが抜け落ちるといった不具合の発生は未然に防止されることとなる。
【００２４】
請求項９に係るクリップの取付構造は、請求項４〜６の何れか１項に係るクリップの取付構造において、前記他の相手側取付体として他の電気接続箱が用いられたことを特徴とする。
上記構成により、組付け性に優れると共に、振動対策が為された他の電気接続箱を備えるクリップの取付構造が提供されることとなる。
【００２５】
【発明の実施の形態】
以下に本発明に係るクリップの取付構造の実施の形態について図面を用いて詳細に説明する。
図１は、本発明に係るクリップの取付構造の一実施形態を示す分解斜視図、図２は、同じくクリップが他の相手側取付体に組付けられた状態を示す斜視図、図３は、同じくクリップが用いられて取付体が相手側取付体と、他の相手側取付体とに組付けられた状態を示す斜視図である。図４は、本発明に係るクリップの取付構造の他の実施形態を示す分解斜視図、図５は、同じくクリップが用いられて取付体が相手側取付体に組付けられた状態を示す斜視図である。
【００２６】
次に、クリップの取付構造における方向について説明する。
電気接続箱のアッパカバー（図示せず）に形成されたハウジング３０（図１，図３〜図５）に対し、リレー２０が位置する側を「上側」とし、このリレー２０に対して、リレー２０の基壁２３から各端子２２ａ，２２ｂ，２２ｃが突出された側を「下側」とする。なお、この明細書における「上下」の定義は、各部を説明する上で、便宜上、定義されたものであり、必ずしもクリップの取付構造における実使用時の方向と一致するものではない。
【００２７】
また、図１〜図３に示されるクリップの取付構造の一実施形態と、図４および図５に示されるクリップの取付構造の他の実施形態とにおいて、共通した内容のものについては、一つにまとめて説明した。
【００２８】
本明細書に例示されたクリップの取付構造においては、取付体２０としてリレー２０（図１，図３〜図５）が用いられ、相手側取付体３０として電気接続箱のアッパカバー（図示せず）に形成されたハウジング３０（図１，図３〜図５）が適用され、他の相手側取付体４０として前記ハウジング３０に組付けられる他の電気接続箱４０（図１〜図３）が用いられたものである。図示されたハウジング３０は、電気接続箱のアッパカバー（図示せず）以外の他の成形体に設けられたものであってもよい。
【００２９】
リレーは、継電器と呼ばれるものであり、電気保安装置を意味するものである。その構造は多種多様で用途は極めて広いものとされている。リレーは、電気機器や、送電線、配電線などの電線の故障発生を報知したり、またその処理をしたりするものもある。例えば、故障に至るおそれのある場合として、電圧、電流、周波数、回転数、温度などが予め定めた値よりも低下したり上昇したりする場合に感知し、警報を発するか、または修正回復までをリレーによって行なわせるといった仕様のものがある。
【００３０】
図１および図４の如く、リレー２０は、内部機器（図示せず）を備える本体２１と、前記内部機器を保護するカバー２９とを備えるものである。リレー２０の本体２１は、内部機器（図示せず）と、内部機器が装着された基壁２３と、内部機器と通電可能に接続され且つ基壁２３の下側に向けて突出されたタブとしての雄端子２２ａ，２２ｂ，２２ｃ，２２ｄ（図４）とを備えるものである。リレー２０の本体２１に組付けられるカバー２９は、天壁２８と、一側壁２６と、他側壁２７と、その他の側壁２４と、その他の別の側壁２５とを備えた略矩形箱状のものとされ、各壁が設けられることで、内部機器（図示せず）が収納される収容部が形成されたものである。
【００３１】
電気接続箱は、具体的には自動車などの電気配線に使用されるジャンクションボックスもしくはジャンクションブロック（Ｊ／Ｂと略称する）、リレーボックス（Ｒ／Ｂと略称する）、ヒューズブロックなどとして取扱われるものである。また、電気接続箱は、複数のコネクタ、リレー、ヒューズなどと、電線またはバスバーなどから回路を構成する部分とを一体的に組付けた状態のブロック部品を言い、通常はワイヤハーネス（Ｗ／Ｈと略称する）を分割するかたちで使用される。
【００３２】
電気接続箱に備えられる各種の電気・電子関連機器が外部のものから保護されるために、電気接続箱の外周部を構成するものとして、不図示のアッパカバーと、ロアカバーとが用いられる。アッパカバーは、ヒューズなどが取付けられるための収納部や、コネクタハウジングなどを備え、バスバー、雄端子、雌端子、Ｆ−Ｆ端子などの端子類、配線板などの内蔵部品を保護するカバーを指し、メインカバーとも呼ばれている。なお、用途、使用条件などによっては、ロアカバーがメインカバーとして使用されてもよい。図１および図４に示されるハウジング３０は、前記電気接続箱を構成するアッパカバーの天壁（図示せず）に設けられたものである。
【００３３】
前記Ｆ−Ｆ端子について簡単に説明すると、Ｆ−Ｆ端子とは端子の両末端に雌嵌合部を備える端子であり、接続する部品により、例えば、バスバーとヒューズとを接続するためのヒューズ用Ｆ−Ｆ端子、バスバーとリレーとを接続するためのリレー用Ｆ−Ｆ端子といったように使い分けされているものである。Ｆ−Ｆ端子の「Ｆ」の由来は、外来語のフィメールを指し「雌」を意味するものである。
【００３４】
図１および図４の如く、前記リレー２０に設けられた各端子２２ａ，２２ｂ，２２ｃ，２２ｄ（図４）に対応して、ハウジング３０の天壁３８に、各端子挿入口３２ａ，３２ｂ，３２ｃ，３２ｄ，３２ｅが設けられている。挿入口３２ｅは、リレー２０に設けられた不図示の雄端子に対応して形成されたものである。これらの端子挿入口３２ａ，３２ｂ，３２ｃ，３２ｄ，３２ｅに続く端子収容室に、前記リレー用Ｆ−Ｆ端子（図示せず）が挿着されている。
【００３５】
リレー２０に設けられた各端子２２ａ，２２ｂ，２２ｃ，２２ｄ（図４）が、ハウジング３０の挿入口３２ａ，３２ｂ，３２ｃ，３２ｄ，３２ｅに差込まれることで、リレー２０に設けられた各端子２２ａ，２２ｂ，２２ｃ，２２ｄ（図４）は、ハウジング３０の端子挿入口３２ａ，３２ｂ，３２ｃ，３２ｄ，３２ｅの内部に位置する前記リレー用Ｆ−Ｆ端子（図示せず）と通電可能に接続されると共に、リレー２０がハウジング３０に組付けられることとなる。
【００３６】
このようなものは、リレーブロックと呼ばれる。リレーブロックとは、複数のリレーが、ターミナル（端子）、ベース（基部）、カバー（蓋）などと一体に組付けられたブロック状のものを意味するものである。
【００３７】
図１〜図５の如く、このクリップの取付構造は、リレー２０と、リレー２０が組付けられる電気接続箱のアッパカバー（図示せず）に形成されたハウジング３０と、リレー２０とハウジング３０とを固定するクリップ１０（図１〜図３），１０I(図４，図５) とを備えるものである。
【００３８】
略矩形箱型をしたリレー２０の外形に対応して、クリップ１０（図１〜図３），１０I(図４，図５) を形成するものとして、基板１８，１８I と、この基板１８，１８I の一方側の折れ曲り部１８ａ，１８ａI から延びる一側板１６，１６I と、この基板１８，１８I の他方側の折れ曲り部１８ｂ，１８ｂI から延びる他側板１７，１７I とが設けられている。何れの折れ曲り部１８ａ，１８ａI ，１８ｂ，１８ｂI とも略直角に形成されたものである。
【００３９】
図１〜図３に示されるクリップ１０は、略コ字状に形成されてリレー２０の外形部分を略取囲むものとされ、リレー２０に対する収容部１９を備えるものである。図４および図５に示されるクリップ１０I の他側板１７I は、リレー２０に対する掛止片１７I としての機能を果すものである。
【００４０】
また、一側板１６，１６I に、係止部１１，１１I としてロック部１１，１１I が設けられ、このロック部１１，１１I に対応して、ハウジング３０の周壁３９を形成する側壁３６に、係合部３１としてロック嵌合部３１が設けられている。そして、電気接続箱のアッパカバー（図示せず）に形成されたハウジング３０に、リレー２０と、クリップ１０（図１，図３），１０I(図４，図５) とが組付けられることで、図３もしくは図５の如く、リレー２０はハウジング３０に固定されることとなる。
【００４１】
このような構造のものとされてあれば、規格化されていない各種形状をしたリレー２０が用いられる場合であっても、大幅な設計変更が行われる必要性はなく、クリップ１０（図１，図３），１０I(図４，図５) によって、リレー２０はハウジング３０に確実に固定されることとなる。従って、汎用性が向上されたクリップの取付構造が提供可能とされる。
【００４２】
また、クリップ１０（図１，図３），１０I(図４，図５) の一側板１６，１６I にロック部１１，１１I が設けられ、このロック部１１，１１I に対応して、ハウジング３０にロック嵌合部３１が設けられてあるから、リレー２０がハウジング３０に組付けられた後に、リレー２０にクリップ１０，１０I を被せて、クリップ１０，１０I のロック部１１，１１I と、ハウジング３０のロック嵌合部３１とが合せられることにより、図３もしくは図５の如く、リレー２０はハウジング３０に容易で確実に固定されることとなる。従って、取付作業性が向上されたクリップの取付構造が提供されることとなる。
【００４３】
図１〜図３に示されるクリップ１０は、剛性を備える合成樹脂材が用いられて形成され、具体的には、機械的強度、耐熱性、射出成形性に優れるポリブチレンテレフタレート樹脂（ＰＢＴと略称する）が用いられて形成されたものである。また、図１および図２に示されるクリップ１０の係止突起１１ａは、傾斜摺接面１１ｂと、摺接面１１ｃと、係止面１１ｄと、一対の側面１１ｅとを備える形状のものとされ、合成樹脂製のクリップ１０が射出成形法に基づいて形成される際に、合成樹脂製の一側板１６と一体に形成されたものである。
【００４４】
図４および図５に示されるクリップ１０I は、薄肉状の金属鋼板が用いられて形成され、具体的には、機械的強度、寸法精度、折曲げ・打抜きなどのプレス加工性に優れる冷間圧延鋼板が用いられて形成されたものである。また、クリップ１０I の係止突起１１ａI は、金属素材板からクリップ１０I が形成される際に、クリップ１０I の一側板１６I に打抜き加工と、折曲げ加工とが施されて、切り起こし突起状に形成されたものであり、打抜き加工と、折曲げ加工とに伴って、クリップ１０I の一側板１６I に打抜き孔１１ｆI が形成されている。また、図４に示されるロック部１１I は、係止凹部１１ｄI を備えるものである。
【００４５】
このようにして形成された金属製の係止突起１１ａI は、根元部１１ａL の折れ曲り部１１ａT から傾斜摺接部１１ｂI が突設され、他の折れ曲り部１１ａV を経て摺接部１１ｃI が延設されたものである。
【００４６】
図４に示されるクリップ１０I のロック部１１I がハウジング３０のロック嵌合部３１に嵌め合せられる際に、係止突起１１ａI に設けられた一対の側面１１ｅI は、ロックアーム３１ａを形成する一対のアーム３１ｈの内側面３１ｅと当接されることとなる。
【００４７】
図１，図３〜図５の如く、ハウジング３０に設けられた係合部３１は、ロック嵌合部３１として設けられたものである。また、係合部３１は、ロックアーム３１ａを備えるものとして形成されている。図１および図４の如く、ロックアーム３１ａと、このロックアーム３１ａが設けられた側壁３６との間は、クリップ１０（図１，図３），１０I(図４，図５) を形成する一側板１６，１６I が挿入される収容空間３１ｋとして用いられる。
【００４８】
図１および図４の如く、ロックアーム３１ａは、ハウジング３０の側壁３６上の根元部３１ｍから一対のアーム３１ｈが延長形成され、一対のアーム３１ｈが操作部３１ｉにおいて連結されて一対のアーム３１ｈの間に係合凹部３１ｊが設けられたものである。このような形状をしたロックアーム３１ａは、傾斜摺接面３１ｂと、摺接面３１ｃと、係合面３１ｄと、内側面３１ｅと、外側部３１ｇと、傾斜面３１ｆ（図４）とを備えるものである。
【００４９】
また、ロックアーム３１ａが設けられた側壁３６に、ロックアーム３１ａの係合凹部３１ｊの幅と略等しい幅の溝３１ｎが設けられている。ロックアーム３１ａを備えるハウジング３０は、可撓性を有する合成樹脂材が用いられて、射出成形法に基づいて形成されたものである。そのような合成樹脂材として、上記ＰＢＴが用いられた。
【００５０】
図１に示されるクリップ１０のロック部１１が、ハウジング３０のロック嵌合部３１に嵌め合せられる過程について説明する。ハウジング３０のロック嵌合部３１にクリップ１０のロック部１１を合せるようにして、ハウジング３０に対しクリップ１０を下側に向けて押圧させる。その際に、まず、クリップ１０に設けられた係止突起１１ａの傾斜摺接面１１ｂと、ハウジング３０に設けられたロックアーム３１ａの傾斜摺接面３１ｂとが当接される。
【００５１】
さらにハウジング３０に対してクリップ１０を下側に向けて押圧させると、クリップ１０に設けられた係止突起１１ａの傾斜摺接面１１ｂと、ハウジング３０に設けられたロックアーム３１ａの傾斜摺接面３１ｂとが摺接されつつ、クリップ１０に設けられた係止突起１１ａは、ハウジング３０に設けられたロックアーム３１ａの操作部３１ｉを乗越えようとする。これに伴って、ロックアーム３１ａは、ハウジング３０の外側に向けて撓まされることとなる。
【００５２】
その状態において、ハウジング３０に対してさらにクリップ１０を下側に向けて押圧させると、クリップ１０に設けられた係止突起１１ａの摺接面１１ｃと、ハウジング３０に設けられたロックアーム３１ａの摺接面３１ｃとが摺接されることとなる。
【００５３】
そのような状態で、ハウジング３０に対してさらにクリップ１０を下側に向けて押圧させると、クリップ１０に設けられた係止突起１１ａが、ハウジング３０に設けられたロックアーム３１ａの係合凹部３１ｊに入り込むこととなる。これにより、係止突起１１ａの係止面１１ｄと、ロックアーム３１ａの係合面３１ｄとが合せられ、図３の如く、クリップ１０と、ハウジング３０とは、不用意に分離されることなく、確実に係止された状態でリレー２０と共に組付けられることとなる。
【００５４】
図３に示されるハウジング３０から、クリップ１０を分離させる場合は、ロックアーム３１ａの操作部３１ｉの傾斜摺接面３１ｂに指や治具棒（図示せず）を引掛け、係止突起１１ａの係止面１１ｄ（図１）と、ロックアーム３１ａの係合面３１ｄ（図１）とが完全にずらされるまで、ロックアーム３１ａをハウジング３０の外側に向けて撓ませる。このようにして、係止突起１１ａと、ロックアーム３１ａとの係止状態を解除させる。そして、このような状態のときに、ハウジング３０に対してクリップ１０が上側に向けて引抜かれることで、ハウジング３０からクリップ１０が容易に分離される。
【００５５】
図４に示されるクリップ１０I のロック部１１I が、ハウジング３０のロック嵌合部３１に嵌め合せられる過程について説明する。ハウジング３０のロック嵌合部３１にクリップ１０I のロック部１１I を合せるようにして、ハウジング３０に対しクリップ１０I を下側に向けて押圧させる。その際に、まず、クリップ１０I に設けられた係止突起１１ａI の傾斜摺接部１１ｂI と、ハウジング３０に設けられたロックアーム３１ａの傾斜摺接面３１ｂとが当接される。
【００５６】
さらにハウジング３０に対してクリップ１０I を下側に向けて押圧させると、クリップ１０I に設けられた係止突起１１ａI の傾斜摺接部１１ｂI と、ハウジング３０に設けられたロックアーム３１ａの傾斜摺接面３１ｂとが摺接されつつ、クリップ１０I に設けられた係止突起１１ａI は、ハウジング３０に設けられたロックアーム３１ａの操作部３１ｉを乗越えようとする。これに伴って、ロックアーム３１ａは、ハウジング３０の外側に向けて撓まされることとなる。
【００５７】
その状態において、ハウジング３０に対してさらにクリップ１０I を下側に向けて押圧させると、クリップ１０I に設けられた係止突起１１ａI の摺接部１１ｃI と、ハウジング３０に設けられたロックアーム３１ａの摺接面３１ｃとが摺接されることとなる。
【００５８】
そのような状態で、ハウジング３０に対してさらにクリップ１０I を下側に向けて押圧させると、クリップ１０I に設けられた係止突起１１ａI が、ハウジング３０に設けられたロックアーム３１ａの係合凹部３１ｊに入り込むこととなる。また、クリップ１０I に設けられた係止突起１１ａI の係止凹部１１ｄI に、ロックアーム３１ａの操作部３１ｉが入り込むこととなる。このようにして、図５の如く、クリップ１０I と、ハウジング３０とは、不用意に分離されることなく、確実に係止された状態でリレー２０と共に組付けられることとなる。
【００５９】
図５に示されるハウジング３０から、クリップ１０I を分離させる場合は、まず、治具棒（図示せず）を用いて、クリップ１０I に設けられた係止突起１１ａI の摺接部１１ｃI をやや下側に向けて押圧させて、係止突起１１ａI を下側に向けてやや撓ませ、その状態において、ロックアーム３１ａの係合面３１ｄ（図４）が係止突起１１ａI の摺接部１１ｃI を完全に乗越えるまで、ロックアーム３１ａの操作部３１ｉの傾斜摺接面３１ｂに指や治具棒（図示せず）を引掛けて、ロックアーム３１ａをハウジング３０の外側に向けて撓ませる。このようにして、係止突起１１ａI と、ロックアーム３１ａとの係止状態を解除させる。そして、このような状態のときに、ハウジング３０に対してクリップ１０I が上側に向けて引抜かれることで、ハウジング３０からクリップ１０I が分離されることとなる。
【００６０】
ハウジング３０に対し、クリップ１０（図１〜図３），１０I(図４，図５) の位置ずれを防止する一対のガイドリブ１１ｇ，１１ｇI が、クリップ１０，１０I の一側板１６，１６I に設けられている。一対のガイドリブ１１ｇ，１１ｇI の内側面と、ロックアーム３１ａの外側部３１ｇとが当接されることで、ハウジング３０に対するクリップ１０，１０I の位置ずれが防止される。また、前記係止突起１１ａ，１１ａI は、一対のガイドリブ１１ｇ，１１ｇI の間の長手方向に沿った中心線上に略位置するものとされている。
【００６１】
このような構造のものとされてあれば、クリップ１０（図１〜図３），１０I(図４，図５) のロック部１１，１１I と、ハウジング３０のロック嵌合部３１とが嵌め合される際や、クリップ１０，１０I のロック部１１，１１I と、ハウジング３０のロック嵌合部３１とが嵌め合された後に、ハウジング３０に対してクリップ１０，１０I に位置ずれが生じてしまうということなく、クリップ１０，１０I は、ハウジング３０に確実に組付けられることとなる。従って、ハウジング３０に対するクリップ１０，１０I の取付作業の容易化、迅速化が図られることとなる。
【００６２】
図１に示される一対のガイドリブ１１ｇは、合成樹脂製のクリップ１０が射出成形法に基づいて形成される際に、合成樹脂製の一側板１６と一体に形成されたものである。また、図４に示される一対のガイドリブ１１ｇI は、上記金属素材板に打抜き加工と、折曲げ加工とが施されてクリップ１０I の一側板１６I が形成された際に、一側板１６I に一対の折れ曲り部１１ｈI が設けられることにより形成されたものである。
【００６３】
また、図１，図３〜図５に示されるリレー２０に代えて、リレー２０の外形高さ寸法と僅かに異なる外形高さ寸法をした他のリレー（図示せず）が用いられた際に、リレー２０の外形高さ寸法と、他のリレー（図示せず）の外形高さ寸法との差を吸収する一対の寸法差吸収部１３（図１〜図３），１３I(図４，図５) が、クリップ１０，１０I を形成する基板１８，１８I の下側に向けて突設されている。
【００６４】
このような一対の寸法差吸収部１３（図１〜図３），１３I(図４，図５) が、クリップ１０，１０I に設けられてあれば、図１，図３〜図５に示されるリレー２０の外形高さ寸法と僅かに異なる外形高さ寸法をした他のリレー（図示せず）が、クリップの取付構造に用いられた場合であっても、クリップ１０，１０I に設けられた一対の寸法差吸収部１３，１３I により、他のリレー（図示せず）は、確実にハウジング３０に組付けられた状態に維持されることとなる。従って、ハウジング３０に対して、他のリレー（図示せず）がガタついてしまうといった不具合の発生は未然に回避され、他のリレー（図示せず）は、確実にハウジング３０に固定され続けることとなる。
【００６５】
図１〜図３に示される前記寸法差吸収部１３は、略コ字状に形成されたクリップ１０の基板１８の内側面に、リブ状をした突出部１３として形成されたものであり、合成樹脂製のクリップ１０が射出成形法に基づいて形成される際に、合成樹脂製の基板１８と一体に形成されたものである。
【００６６】
図４および図５に示される前記寸法差吸収部１３I は、この寸法差吸収部１３I がリレー２０の一壁２８として形成された天壁２８に押接された際（図５）に、復元弾性力を発生する「ばね部」１３I として形成されたものである。また、図４および図５に示されるリレー２０に代えて、リレー２０の外形高さ寸法と僅かに異なる外形高さ寸法をした他のリレー（図示せず）が用いられた際にも、前記「ばね部」１３I は、他のリレー（図示せず）の一壁に押接されて、復元弾性力を発生するものである。
【００６７】
図４および図５の如く、前記「ばね部」１３I は、金属素材板からクリップ１０I が形成される際に、クリップ１０I の基板１８I に打抜き加工と、折曲げ加工とが施されて形成されたものであり、打抜き加工と、折曲げ加工とに伴って、クリップ１０I の基板１８I に、「ばね部」１３I の撓みを吸収し「ばね部」１３I に対応した収容孔１３ｆが形成されている。このようにして形成された金属製の「ばね部」１３I は、根元部１３ｃの折れ曲り部１３ｄから傾斜部１３ｂが突設され、他の折れ曲り部１３ｅを経て押接部１３ａが延設されたものである。
【００６８】
このような形状をした一対の「ばね部」１３I が、クリップ１０I に設けられてあれば、図４および図５に示されるリレー２０の外形高さ寸法と異なる外形高さ寸法をした他のリレー（図示せず）が、クリップの取付構造に用いられた場合であっても、クリップ１０I に設けられた一対の「ばね部」１３I により、他のリレー（図示せず）は、より安定した状態でハウジング３０に組付けられることとなる。
【００６９】
従って、クリップの取付構造に振動が加えられた場合、振動により、ハウジング３０に対して、他のリレー（図示せず）がガタついてしまうといった不具合の発生は未然に回避され、他のリレー（図示せず）は、ガタつくことなく、長期に亘って確実にハウジング３０に固定され続けることとなる。
【００７０】
なお、図４および図５に示されるリレー２０の外形寸法と大幅に異なる外形寸法をしたその他のリレー（図示せず）が、図４および図５に示されるリレー２０に代えて、クリップの取付構造に用いられる場合には、その他のリレー（図示せず）の外形寸法に対応したその他のクリップ（図示せず）を製造し、その他のクリップ（図示せず）が用いられて、その他のリレー（図示せず）をハウジング３０に確実に固定させることとなる。
【００７１】
図１〜図３の如く、他の電気接続箱４０は、ブロック形状をした本体４１に、他の係合部４２と、他のガイドリブ４３とを備えるものとして構成されたものである。矩形箱型をした他の電気接続箱４０の本体４１は、側壁４７、天壁４８などを含む周壁４９を備え、これの内部に各種の電気・電子関連機器が収容されたものとして構成されたものである。
【００７２】
また、図１および図２の如く、前記本体４１の側壁４７に設けられた他の係合部４２と、他のガイドリブ４３とは、一つの掛合部として構成されたものである。他の係合部４２と、他のガイドリブ４３とは、可撓性を有する合成樹脂材が用いられて、他の電気接続箱４０の本体４１を構成する周壁４９と一体となるように射出成形されたものである。
【００７３】
図１〜図３の如く、ハウジング３０に一対のガイドリブ３３が設けられ、この一対のガイドリブ３３に対応して、他の電気接続箱４０に一対の他のガイドリブ４３が設けられている。一対のガイドリブ３３と、一対の他のガイドリブ４３とが嵌め合されることで、ハウジング３０に他の電気接続箱４０が組付けられることとなる。
【００７４】
図１および図４の如く、ハウジング３０の周壁３９に設けられた一対のガイドリブ３３は、上下方向に延長形成された一対の突出片３３ａに、同じく上下方向に延長形成された屈曲先端部３３ｂが、互いに向合うように突設されたものである。このような形状をしたガイドリブ３３は、ハウジング３０の天壁３８に対して真上から眺めると、略Ｌ字状をしたガイドリブ３３として形成されたものである。上下方向に延設された突出片３３ａの屈曲先端部３３ｂは、ハウジング３０の天壁３８の面と同一の位置から突出片３３ａの下側の他端部３３ｄよりもやや上側の位置まで形成されたものである。
【００７５】
また、図１および図２の如く、他の電気接続箱４０の周壁４９に設けられた一対の他のガイドリブ４３は、上下方向に延長形成された縦長の本体４３ａとして形成されたものであり、このような形状をした一対のリブ本体４３ａに、互いに外向きとされるガイド溝４３ｂが上下方向に延長形成されている。ここでいう「上下方向」とは、ガイドリブ同士が嵌め合される際に、ガイドリブがスライド可能な方向を意味する。
【００７６】
図１の如く、ハウジング３０に他の電気接続箱４０が組付けられる際に、ハウジング３０に設けられた一対のガイドリブ３３と、他の電気接続箱４０に設けられた一対の他のガイドリブ４３とが嵌め合されるといった作業が行われると、ハウジング３０と、他の電気接続箱４０との組付作業が、容易で確実に行われることとなる。
【００７７】
詳しく説明すると、他の電気接続箱４０に設けられた一対の他のガイドリブ４３の端部４３ｄを、ハウジング３０に設けられた一対のガイドリブ３３の一端部３３ｃに嵌め合せ、次に、一対の他のガイドリブ４３のガイド溝４３ｂ内に、一対のガイドリブ３３の屈曲先端部３３ｂを摺接させつつ挿入させ、その後、他のガイドリブ４３のガイド溝４３ｂの溝終端部４３ｃに、ガイドリブ３３の屈曲先端部３３ｂの一端部３３ｃを当接させることで、図３の如く、ハウジング３０と、他の電気接続箱４０とが容易で正確に組付けられることとなる。このように、前記ガイドリブが用いられることにより、組付作業性に優れたクリップの取付構造が提供されることとなる。
【００７８】
また、図１および図２の如く、他の電気接続箱４０に一対の他のガイドリブ４３が設けられ、一対の他のガイドリブ４３は、クリップ１０の基板１８から延設された他側板１７を導き入れる案内部を兼ねたものとされている。
【００７９】
このようなガイドリブ４３が他の電気接続箱４０に形成されてあれば、他の電気接続箱４０にクリップ１０が組付けられる際に、他の電気接続箱４０に設けられた案内部に、クリップ１０の基板１８から延設された他側板１７が入れられるといった簡単な作業によって、他の電気接続箱４０にクリップ１０を組付けることが可能となる。従って、取付作業性に優れたクリップの取付構造が提供されることとなる。
【００８０】
クリップ１０の基板１８から延設された他側板１７は、基板１８と等しい幅をした幅広部１７ｂと、この幅広部１７ｂに一対の段差部１７ｃが設けられて、幅広部１７ｂから幅狭部１７ａが延設された形状のものとされている。幅狭部１７ａは、他の電気接続箱４０に設けられた一対の他のガイドリブ４３の間に対応して形成されたものであるから、クリップ１０に形成された他側板１７の幅狭部１７ａは、他の電気接続箱４０に設けられた一対の他のガイドリブ４３の間に、容易に挿入されることとなる。
【００８１】
また、図１および図２の如く、クリップ１０の基板１８から延設された他側板１７に、他の係止部１２として他のロック部１２が設けられ、他のロック部１２に対応して、クリップ１０が組付けられる他の電気接続箱４０に、他の係合部４２として他のロック嵌合部４２が設けられている。
【００８２】
クリップ１０の他側板１７に設けられた他のロック部１２は、他側板１７の幅狭部１７ａに設けられた収容孔１２ｆ内に、可撓係止片１２ａが位置するものとされている。可撓係止片１２ａは、傾斜摺接面１２ｂと、傾斜面１２ｃと、係止面１２ｄと、一対の側面１２ｅとを備えるものとされ、合成樹脂製のクリップ１０が射出成形法に基づいて形成される際に、合成樹脂製の他側板１７と一体に形成されたものである。
【００８３】
他の電気接続箱４０の側壁４７の下側隅部に設けられた他のロック嵌合部４２は、係合アーム４２ａと、操作部４２ｂと、クリップ１０を形成する他側板１７の幅狭部１７ａおよび他側板１７の幅狭部１７ａに設けられた可撓係止片１２ａが収容可能な係合凹部４２ｃと、係合面４２ｄと、クリップ１０を形成する他側板１７の幅狭部１７ａおよび他側板１７の幅狭部１７ａに設けられた可撓係止片１２ａが入り込む挿入口４２ｅと、挿入口４２ｅに続きこれらが通り抜け可能とされる挿通孔４２ｆと、挿通孔４２ｆに続く出口４２ｇとを備えるものとして形成されている。
【００８４】
図１および図３の如く、クリップ１０に設けられたロック部１１と、ハウジング３０に設けられたロック嵌合部３１とが係止されると共に、図１および図２の如く、クリップ１０に設けられた他のロック部１２と、他の電気接続箱４０に設けられた他のロック嵌合部４２とが係止されることで、図３の如く、クリップ１０は、ハウジング３０と、他の電気接続箱４０との両方に確実に係止されることとなる。
【００８５】
これにより、クリップ１０は、より安定した組付状態として維持されることとなる。従って、振動対策がより改善されたクリップの取付構造が提供されることとなる。また、このような構造のものは組付け性に優れるものである。
【００８６】
図１に示されるクリップ１０の他のロック部１２が、他の電気接続箱４０に設けられた他のロック嵌合部４２に嵌め込まれた際に、クリップ１０の幅狭部１７ａの側面１７ｅは、一対の他のガイドリブ４３の内側面と当接される。このように、一対の他のガイドリブ４３を形成するリブ本体４３ａの内側面と、クリップ１０の幅狭部１７ａの側面１７ｅとが当接されることで、他の電気接続箱４０に対するクリップ１０の位置ずれが防止されることとなる。
【００８７】
図２に示される他の電気接続箱４０からクリップ１０を分離させる場合は、可撓係止片１２ａの係止面１２ｄ（図１）と、係合アーム４２ａの係合面４２ｄ（図１）とが完全にずらされるまで、係合アーム４２ａの操作部４２ｂを押圧する。このようにして、可撓係止片１２ａと、係合アーム４２ａとの係止状態を解除させる。そして、このような状態のときに、他の電気接続箱４０に対してクリップ１０が上側に向けて引抜かれることで、他の電気接続箱４０からクリップ１０が分離される。
【００８８】
金属鋼板または剛性を備える合成樹脂が用いられて、上記クリップ１０（図１〜図３），１０I(図４，図５) が形成されてあれば、クリップ１０，１０I は適度な剛性を備えるものとして機能することとなる。そして、このような材質で形成されたクリップ１０，１０I が用いられることにより、リレー２０と、ハウジング３０とは、長期に亘って確実に固定され続けることとなる。また、このような材質で形成されたクリップ１０，１０I は、効率よく大量に生産可能とされるものであるから、汎用性に優れたクリップの取付構造が提供されることとなる。
【００８９】
また、電気接続箱のアッパカバー（図示せず）に形成されたハウジング３０にリレー２０が組付けられて、振動が加えられたとしても、上記クリップ１０（図１〜図３），１０I(図４，図５) が用いられてハウジング３０とリレー２０とが固定されてあれば、ハウジング３０に対し、これに組付けられたリレー２０が緩むということや、組付け方向により、電気接続箱のアッパカバー（図示せず）に形成されたハウジング３０から、リレー２０が抜け落ちるといった不具合の発生は未然に防止されることとなる。
【００９０】
本発明に係るクリップの取付構造について、リレー２０（図１，図３〜図５）と、リレー２０が組付けられる電気接続箱のアッパカバー（図示せず）に形成されたハウジング３０（図１，図３〜図５）と、リレー２０とハウジング３０とを固定するクリップ１０（図１〜図３），１０I(図４，図５) と、ハウジング３０に組付けられる他の電気接続箱４０（図１〜図３）とを例に挙げて説明したが、本発明のものは、上記のものに限らず、あらゆる形態のクリップの取付構造に展開可能とされるものである。
【００９１】
【発明の効果】
以上の如く、請求項１記載の発明によれば、規格化されていない各種形状をした取付体が用いられる場合であっても、大幅な設計変更が行われる必要性はなく、クリップによって、取付体は相手側取付体に確実に固定されることとなる。従って、汎用性が向上されたクリップの取付構造を提供することができる。また、クリップの一側板に係止部が設けられ、この係止部に対応して相手側取付体に係合部が設けられてあるから、取付体が相手側取付体に組付けられた後に、取付体にクリップを被せて、クリップの係止部と、相手側取付体の係合部とが合せられることにより、取付体は相手側取付体に容易で確実に固定されることとなる。従って、取付作業性が向上されたクリップの取付構造を提供することが可能となる。
【００９２】
また、本発明の請求項１記載の発明によれば、クリップの係止部と、相手側取付体の係合部とが嵌め合される際や、クリップの係止部と、相手側取付体の係合部とが嵌め合された後に、相手側取付体に対してクリップに位置ずれが生じてしまうということなく、クリップは、相手側取付体に確実に組付けられることとなる。従って、相手側取付体に対するクリップの取付作業の容易化、迅速化を図ることが可能となる。
【００９３】
請求項２記載の発明によれば、取付体の外形寸法と異なる外形寸法をした他の取付体が、クリップの取付構造に用いられた場合であっても、クリップに設けられた寸法差吸収部により、他の取付体は、確実に相手側取付体に組付けられた状態に維持されることとなる。従って、相手側取付体に対し他の取付体がガタついてしまうといった不具合の発生は未然に回避され、他の取付体は、確実に相手側取付体に固定され続けることとなる。
【００９４】
請求項３記載の発明によれば、取付体の外形寸法と異なる外形寸法をした他の取付体が、クリップの取付構造に用いられた場合であっても、クリップに設けられたばね部により、他の取付体は、より安定した状態で相手側取付体に組付けられることとなる。従って、クリップの取付構造に振動が加えられた場合、振動により、相手側取付体に対し他の取付体がガタついてしまうといった不具合の発生は未然に回避され、他の取付体は、ガタつくことなく、長期に亘って確実に相手側取付体に固定され続けることとなる。
【００９５】
請求項４記載の発明によれば、相手側取付体に他の相手側取付体が組付けられる際に、相手側取付体に設けられたガイドリブと、他の相手側取付体に設けられた他のガイドリブとが嵌め合されるといった作業が行われると、相手側取付体と、他の相手側取付体との組付作業が、容易で確実に行われることとなる。従って、組付作業性に優れたクリップの取付構造を提供することができる。
【００９６】
請求項５記載の発明によれば、他の相手側取付体にクリップが組付けられる際に、他の相手側取付体に設けられた案内部に、クリップの基板から延設された他側板が入れられるといった簡単な作業によって、他の相手側取付体にクリップを組付けることが可能となる。従って、取付作業性に優れたクリップの取付構造を提供することができる。
【００９７】
請求項６記載の発明によれば、クリップは、相手側取付体と、他の相手側取付体との両方に係止されることとなる。これにより、クリップは、より安定した組付状態として維持されることとなる。従って、振動に対する対策がより改善されたクリップの取付構造の提供が可能とされる。
【００９８】
請求項７記載の発明によれば、クリップは、適度な剛性を備えるものとして形成されることとなる。金属材または樹脂材で形成されたクリップが用いられることにより、取付体と、相手側取付体とは、長期に亘って確実に固定され続けることとなる。また、金属材または樹脂材で形成されたクリップは、効率よく大量に生産可能とされるものであるから、汎用性に優れたクリップの取付構造が提供されることとなる。
【００９９】
請求項８記載の発明によれば、電気接続箱のカバーに形成されたハウジングにリレーが組付けられて、振動が加えられたとしても、電気接続箱のカバーに形成されたハウジングに対し、これに組付けられたリレーが緩むということや、電気接続箱のカバーに形成されたハウジングから、リレーが抜け落ちるといった不具合の発生は未然に防止されることとなる。
【０１００】
請求項９記載の発明によれば、組付け性に優れると共に、振動対策が為された他の電気接続箱を備えるクリップの取付構造が提供されることとなる。
【図面の簡単な説明】
【図１】本発明に係るクリップの取付構造の一実施形態を示す分解斜視図である。
【図２】同じくクリップが他の相手側取付体に組付けられた状態を示す斜視図である。
【図３】同じくクリップが用いられて取付体が相手側取付体と、他の相手側取付体とに組付けられた状態を示す斜視図である。
【図４】本発明に係るクリップの取付構造の他の実施形態を示す分解斜視図である。
【図５】同じくクリップが用いられて取付体が相手側取付体に組付けられた状態を示す斜視図である。
【図６】従来の取付構造における一形態としてバッテリバンドの取付構造を示す斜視図である。
【符号の説明】
１０，１０I   クリップ
１１，１１I   ロック部（係止部）
１１ｇ，１１ｇI   ガイドリブ（リブ）
１２          他のロック部（他の係止部）
１３          突出部（寸法差吸収部）
１３I         ばね部（寸法差吸収部）
１６，１６I   一側板
１７          他側板
１７I         掛止片（他側板）
１８，１８I   基板
２０          リレー（取付体）
２８          天壁（一壁）
３０          ハウジング（相手側取付体）
３１          ロック嵌合部（係合部）
３３          ガイドリブ
４０          他の電気接続箱（他の相手側取付体）
４２          他のロック嵌合部（他の係合部）
４３          他のガイドリブ
【図１】
0003898956.tif 000002
【図２】
0003898956.tif 000003
【図３】
0003898956.tif 000004
【図４】
0003898956.tif 000005
【図５】
0003898956.tif 000006
【図６】
0003898956.tif 000007